(57)【要約】【課題】利用者の欲する画像情報を、速報で、しかも信頼度を保証して提供。【解決手段】携帯端末９０は、依頼者が撮影を希望する画像の種類と撮影日時との依頼条件を含む画像情報収集依頼を無線端末管理システム４００に送る。無線端末管理システム４００は、代行者位置情報を参照して、依頼条件に適する代行者を選択し、選択された代行者の撮影機能付携帯端末１００に情報収集指令を送信する。代行者は、撮影機能付携帯端末１００を携帯して撮影現場に行き、現場風景を撮影し、撮影画像情報を無線端末管理システム４００に送る。無線端末管理システム４００は、関係機関の通信端末３００から撮影画像情報の信頼度確認を得て、撮影画像情報の信用度を査定し、この信用度を依頼者に公開する。依頼者は、この信用度に基づいて、撮影画像情報を購入する。【選択図】      図１
2004326406.tif 000002
【特許請求の範囲】
【請求項１】
現場の画像撮影を依頼する依頼者が所有する携帯端末と、現場の画像撮影を依頼される代行者が所有する撮影機能付携帯端末と、画像情報提供事業者の、前記携帯端末と前記撮影機能付携帯端末とを管理する無線端末管理システムとがネットワークで接続され、画像情報を収集して、この画像情報を前記携帯端末に提供する情報収集システムであって、
前記携帯端末は、依頼者が撮影を希望する現場と撮影日時とからなる依頼条件を含む情報収集依頼を、前記ネットワークを介して、前記無線端末管理システムに送信する手段を有し、
前記無線端末管理システムは、
前記携帯端末から情報収集依頼を受信して情報収集依頼を受け付ける手段と、
代行者の前記撮影機能付携帯端末の位置情報を含む代行者情報データベースを備え、情報収集依頼に含まれる依頼条件に適する代行者を、前記代行者情報データベースから、選択する手段と、
依頼条件を満たすよう画像撮影を指令する情報収集指令を、前記ネットワークを介して、選択された代行者の前記撮影機能付携帯端末に送信する手段とを有し、
前記撮影機能付携帯端末は、
前記無線端末管理システムから情報収集指令を受信する手段と、
情報収集指令に含まれる依頼条件による現場と撮影日時に基づいて、当該現場を撮影して画像情報を得る撮像手段と、
前記撮像手段による撮影画像情報を、前記ネットワークを介して、前記無線端末管理システムに送信する手段とを有し、
前記無線端末管理システムは、さらに、
前記撮影機能付携帯端末から撮影画像情報を受信して記憶する手段と、
記憶された撮影画像情報の信頼度を査定する手段と、
査定された信頼度を、前記ネットワークを介して、前記携帯端末に送って公開する手段とを有し、
前記携帯端末は、さらに、
前記無線端末管理システムから、査定された信頼度を受信し、この信頼度に基づいて撮影画像情報の購入要求を、前記ネットワークを介して、前記無線端末管理システムに送信する手段を有し、
前記無線端末管理システムは、さらに、
前記携帯端末から、撮影画像情報の購入要求を受信して、当該撮影画像情報を前記携帯端末に送信する手段を有することを特徴とする情報収集システム。
【請求項２】
現場の画像撮影を依頼する依頼者が所有する携帯端末と、現場の画像撮影を依頼される代行者が所有する撮影機能付携帯端末と、画像情報提供事業者の、前記携帯端末と前記撮影機能付携帯端末とを管理する無線端末管理システムと、代行者が撮影する現場に関係する関係機関の通信端末とがネットワークで接続され、画像情報を収集して、この画像情報を前記携帯端末に提供する情報収集システムであって、
前記携帯端末は、依頼者が撮影を希望する現場と撮影日時とからなる依頼条件を含む情報収集依頼を、前記ネットワークを介して、前記無線端末管理システムに送信する手段を有し、
前記無線端末管理システムは、
前記携帯端末から情報収集依頼を受信して情報収集依頼を受け付ける手段と、
代行者の前記撮影機能付携帯端末の位置情報を含む代行者情報データベースを備え、情報収集依頼に含まれる依頼条件に適する代行者を、前記代行者情報データベースから、選択する手段と、
依頼条件を満たすよう画像撮影を指令する情報収集指令を、前記ネットワークを介して、選択された代行者の前記撮影機能付携帯端末に送信する手段とを有し、
前記撮影機能付携帯端末は、
前記無線端末管理システムから情報収集指令を受信する手段と、
情報収集指令に含まれる依頼条件による現場と撮影日時に基づいて、当該現場を撮影して画像情報を得る撮像手段と、
前記撮像手段による撮影画像情報を、前記ネットワークを介して、前記無線端末管理システムに送信する手段とを有し、
前記無線端末管理システムは、さらに、
前記撮影機能付携帯端末から撮影画像情報を受信して記憶する手段と、
記憶された撮影画像情報の確認を要求する確認要求を、この撮影画像の現場に関係する関係機関の通信端末に送信し、前記通信端末から確認回答を受信して、当該撮影画像情報の信頼度を査定する手段と、
査定された信頼度を、前記ネットワークを介して、前記携帯端末に送って公開する手段とを有し、
前記携帯端末は、さらに、
前記無線端末管理システムから、査定された信頼度を受信し、この信頼度に基づいて撮影画像情報の購入要求を、前記ネットワークを介して、前記無線端末管理システムに送信する手段を有し、
前記無線端末管理システムは、さらに、
前記携帯端末から、撮影画像情報の購入要求を受信して、当該撮影画像情報を前記携帯端末に送信する手段を有することを特徴とする情報収集システム。
【請求項３】
前記無線端末管理システムは、さらに、
査定された信頼度に基づいて、前記携帯端末の依頼者に料金を課金する手段と、
査定された信頼度に基づいて、前記撮影機能付携帯端末の代行者に代価を支払う手段とを有することを特徴とする請求項１と２とのうちいずれか１項記載の情報収集システム。
【請求項４】
前記撮影機能付携帯端末は、さらに、
ＧＰＳ（Ｇｌｏｂａｌ  Ｐｏｓｉｔｉｏｎｉｎｇ  Ｓｙｓｔｅｍ）を利用して位置を検出する位置情報検出手段と、
前記位置情報検出手段により検出された位置情報を、前記ネットワークを介して、前記無線端末管理システムに送信する手段とを有し、
前記無線端末管理システムは、さらに、
前記撮影機能付携帯端末から位置情報を受信して、この位置情報で前記代行者情報データベースを更新する手段を有することを特徴とする請求項１と２とのうちいずれか１項記載の情報収集システム。
【請求項５】
前記無線端末管理システムは、さらに、
依頼条件を満たすよう画像撮影を指令する画像撮影指令に加えて前記撮影機能付携帯端末の機能拡張を指示する機能拡張指示を含む情報収集指令を、前記ネットワークを介して、選択された代行者の前記撮影機能付携帯端末に送信する手段を有し、
前記撮影機能付携帯端末は、さらに、
通話と低速データ通信のための基本機能部と、画像撮影する撮像部と撮影画像情報を送受信する高速データ送受信部を含む拡張機能部とを有し、
前記無線端末管理システムから機能拡張指示を受けて、画像撮影ができるよう前記撮像部を制御するとともに、撮影画像情報を送受信することができるよう前記高速データ送受信部を制御する手段とを有することを特徴とする請求項１と２とのうちいずれか１項記載の情報収集システム。
【請求項６】
前記無線端末管理システムは、さらに、
機能拡張を指示する機能拡張指示を含む情報収集指令を、前記ネットワークを介して、選択された代行者の前記撮影機能付携帯端末に送信する手段を有し、
前記撮影機能付携帯端末は、さらに、
無線で通話と低速データ通信する第１無線部と低解像度画像や静止画像を撮影する第１カメラとを備える基本機能部と、別の無線で高速データ通信する第２無線部と高解像度画像や動画像を撮影する第２カメラとを備える拡張機能部とを有し、前記無線端末管理システムから機能拡張指示を受けて、高速データ通信ができるよう前記第２無線部を制御するとともに、高解像度画像や動画像を撮影できるよう前記第２カメラを制御する手段とを有することを特徴とする請求項１と２とのうちいずれか１項記載の情報収集システム。
【請求項７】
前記無線端末管理システムは、さらに、
アプリケーションソフトと、着信メロディおよび画像を含むコンテンツとを記憶するデータベースと、
前記データベースに記憶されているアプリケーションソフトとコンテンツを、ダウンロード許可された代行者に配信する手段と、
前記撮影機能付携帯端末が画像情報を収集するたびに、前記撮影機能付携帯端末の代行者にポイントを与え、当該代行者が所有する累積ポイントが予め定められたポイントを超えるとき、前記データベースに記憶されているアプリケーションソフトとコンテンツをダウンロードする許可を機能拡張指示として当該代行者の前記撮像撮影機能付携帯端末に与える手段とを有し、
当該代行者の撮像撮影機能付携帯端末は、さらに、
前記無線端末管理システムから、ダウンロード許可を含む機能拡張指示を受けて、アプリケーションソフトあるいはコンテンツを、前記記憶部からダウンロードすることを特徴とする請求項１と２とのうちいずれか１項記載の情報収集システム。
【請求項８】
現場の画像撮影を依頼する依頼者が所有する携帯端末と、現場の画像撮影を依頼される代行者が所有する撮影機能付携帯端末と、画像情報提供事業者の、前記携帯端末と前記撮影機能付携帯端末とを管理する無線端末管理システムと、代行者が撮影する現場に関係する関係機関の通信端末とがネットワークで接続され、画像情報を収集して、この画像情報を前記携帯端末に提供する情報収集方法であって、
前記携帯端末において、依頼者が撮影を希望する現場と撮影日時とからなる依頼条件を含む情報収集依頼を、前記ネットワークを介して、前記無線端末管理システムに送信するステップを有し、
前記無線端末管理システムにおいて、
前記携帯端末から情報収集依頼を受信して情報収集依頼を受け付けるステップと、
情報収集依頼に含まれる依頼条件に適する代行者を、代行者の前記撮影機能付携帯端末の位置情報を含む代行者情報データベースから、選択するステップと、
依頼条件を満たすよう画像撮影を指令する情報収集指令を、前記ネットワークを介して、選択された代行者の前記撮影機能付携帯端末に送信するステップとを有し、
前記撮影機能付携帯端末において、
前記無線端末管理システムから情報収集指令を受信するステップと、
情報収集指令に含まれる依頼条件による現場と撮影日時に基づいて、当該現場を撮影して画像情報を得る撮像ステップと、
前記撮像ステップによる撮影画像情報を、前記ネットワークを介して、前記無線端末管理システムに送信するステップとを有し、
前記無線端末管理システムにおいて、さらに、
前記撮影機能付携帯端末から撮影画像情報を受信して記憶するステップと、
記憶された撮影画像情報の確認を要求する確認要求を、この撮影画像の現場に関係する関係機関の通信端末に送信し、前記通信端末から確認回答を受信して、当該撮影画像情報の信頼度を査定するステップと、
査定された信頼度を、前記ネットワークを介して、前記携帯端末に送って公開するステップとを有し、
前記携帯端末において、さらに、
前記無線端末管理システムから、査定された信頼度を受信し、この信頼度に基づいて撮影画像情報の購入要求を、前記ネットワークを介して、前記無線端末管理システムに送信するステップを有し、
前記無線端末管理システムにおいて、さらに、
前記携帯端末から、撮影画像情報の購入要求を受信して、当該撮影画像情報を前記携帯端末に送信するステップと、
査定された信頼度に基づいて、前記携帯端末の依頼者に料金を課金するステップと、
査定された信頼度に基づいて、前記撮影機能付携帯端末の代行者に代価を支払うステップとを有することを特徴とする情報収集方法。
【請求項９】
前記撮影機能付携帯端末において、さらに、
ＧＰＳ（Ｇｌｏｂａｌ  Ｐｏｓｉｔｉｏｎｉｎｇ  Ｓｙｓｔｅｍ）を利用して位置を検出する位置情報検出ステップと、
前記位置情報検出ステップにより検出された位置情報を、前記ネットワークを介して、前記無線端末管理システムに送信するステップとを有し、
前記無線端末管理システムにおいて、さらに、
前記撮影機能付携帯端末から位置情報を受信して、この位置情報で前記代行者情報データベースを更新するステップを有することを特徴とする請求項８項記載の情報収集方法。
【請求項１０】
現場の画像撮影を依頼する依頼者が所有する携帯端末と、現場の画像撮影を依頼される代行者が所有する撮影機能付携帯端末と、画像情報提供事業者の、前記携帯端末と前記撮影機能付携帯端末とを管理する無線端末管理システムと、代行者が撮影する現場に関係する関係機関の通信端末とがネットワークで接続され、画像情報を収集して、この画像情報を前記携帯端末に提供する情報収集システムを制御する情報収集プログラムであって、
前記撮影機能付携帯端末から位置情報を受信して、この位置情報を代行者情報データベースに記憶する処理と、
前記携帯端末から、依頼者が撮影を希望する現場と撮影日時とからなる依頼条件を含む情報収集依頼を受信して、この情報収集依頼を受け付ける処理と、
情報収集依頼に含まれる依頼条件に適する代行者を代行者情報データベースから選択する処理と、
依頼条件を満たすよう画像撮影を指令する情報収集指令を、前記ネットワークを介して、選択された代行者の前記撮影機能付携帯端末に送信する処理と、
前記撮影機能付携帯端末から撮影画像情報を受信して記憶する処理と、
記憶された撮影画像情報の確認を要求する確認要求を、この撮影画像の現場に関係する関係機関の通信端末に送信し、前記通信端末から確認回答を受信して、当該撮影画像情報の信頼度を査定する処理と、
査定された信頼度を、前記ネットワークを介して、前記携帯端末に送って公開する処理と、
前記携帯端末から、撮影画像情報の購入要求を受信して、記憶されている当該撮影画像情報を前記携帯端末に送信する処理と、
査定された信頼度に基づいて、前記携帯端末の依頼者に料金を課金する処理と、
査定された信頼度に基づいて、前記撮影機能付携帯端末の代行者に代価を支払う処理とをコンピュータに実行させることを特徴とする情報収集プログラム。
【発明の詳細な説明】
【０００１】
【発明の属する技術分野】
本発明は、携帯端末を利用して情報収集して利用者に提供する情報収集システムおよび情報収集方法に関する。
【０００２】
【従来の技術】
従来の情報収集システムにおいては、ネットワークに接続された情報提供事業者の情報収集装置が情報を収集し、収集した情報をネットワーク上で公開し販売している。特に、各種の画像情報を収集するために、情報収集装置は、ネットワークに接続されている移動端末を操作するユーザに画像情報を収集させ、収集した画像情報をネットワーク上で利用者に公開して販売している。（例えば、特許文献１）。
【０００３】
【特許文献１】
特開平２００２−１６９８７８号公報（頁３〜８、図）
【０００４】
【発明が解決しようとする課題】
しかしながら、従来の情報収集システムでは、販売提供する画像情報の種類は、情報提供事業者の意志で決められ、画像情報を購入する利用者の意志は反映されていないという課題を有する。すなわち、利用者の欲する画像情報が必ずしもあるとは限らず、また、利用者の欲する時間の画像情報があるとは限らないという課題を有している。
【０００５】
また、従来の情報収集システムでは、移動端末に収集させた画像情報が、どの程度の信憑性あるいは信頼度があるのかの指標を有していないので、利用者は、正確な画像情報を正当な料金で購入できないという課題を有している。
【０００６】
本発明の目的は、従来のこの様な課題を解決し、利用者の欲する画像情報を、速報で、しかも、信頼度を保証して、利用者に提供する技術を提供することにある。
【０００７】
【課題を解決するための手段】
本発明の情報収集システムは、現場の画像撮影を依頼する依頼者が所有する携帯端末と、現場の画像撮影を依頼される代行者が所有する撮影機能付携帯端末と、画像情報提供事業者の、前記携帯端末と前記撮影機能付携帯端末とを管理する無線端末管理システムとがネットワークで接続され、画像情報を収集して、この画像情報を前記携帯端末に提供する情報収集システムであって、
前記携帯端末は、依頼者が撮影を希望する現場と撮影日時とからなる依頼条件を含む情報収集依頼を、前記ネットワークを介して、前記無線端末管理システムに送信する手段を有し、
前記無線端末管理システムは、
前記携帯端末から情報収集依頼を受信して情報収集依頼を受け付ける手段と、
代行者の前記撮影機能付携帯端末の位置情報を含む代行者情報データベースを備え、情報収集依頼に含まれる依頼条件に適する代行者を、前記代行者情報データベースから、選択する手段と、
依頼条件を満たすよう画像撮影を指令する情報収集指令を、前記ネットワークを介して、選択された代行者の前記撮影機能付携帯端末に送信する手段とを有し、
前記撮影機能付携帯端末は、
前記無線端末管理システムから情報収集指令を受信する手段と、
情報収集指令に含まれる依頼条件による現場と撮影日時に基づいて、当該現場を撮影して画像情報を得る撮像手段と、
前記撮像手段による撮影画像情報を、前記ネットワークを介して、前記無線端末管理システムに送信する手段とを有し、
前記無線端末管理システムは、さらに、
前記撮影機能付携帯端末から撮影画像情報を受信して記憶する手段と、
記憶された撮影画像情報の信頼度を査定する手段と、
査定された信頼度を、前記ネットワークを介して、前記携帯端末に送って公開する手段とを有し、
前記携帯端末は、さらに、
前記無線端末管理システムから、査定された信頼度を受信し、この信頼度に基づいて撮影画像情報の購入要求を、前記ネットワークを介して、前記無線端末管理システムに送信する手段を有し、
前記無線端末管理システムは、さらに、
前記携帯端末から、撮影画像情報の購入要求を受信して、当該撮影画像情報を前記携帯端末に送信する手段を有することを特徴とする。
【０００８】
また、本発明の情報収集システムは、現場の画像撮影を依頼する依頼者が所有する携帯端末と、現場の画像撮影を依頼される代行者が所有する撮影機能付携帯端末と、画像情報提供事業者の、前記携帯端末と前記撮影機能付携帯端末とを管理する無線端末管理システムと、代行者が撮影する現場に関係する関係機関の通信端末とがネットワークで接続され、画像情報を収集して、この画像情報を前記携帯端末に提供する情報収集システムであって、
前記携帯端末は、依頼者が撮影を希望する現場と撮影日時とからなる依頼条件を含む情報収集依頼を、前記ネットワークを介して、前記無線端末管理システムに送信する手段を有し、
前記無線端末管理システムは、
前記携帯端末から情報収集依頼を受信して情報収集依頼を受け付ける手段と、
代行者の前記撮影機能付携帯端末の位置情報を含む代行者情報データベースを備え、情報収集依頼に含まれる依頼条件に適する代行者を、前記代行者情報データベースから、選択する手段と、
依頼条件を満たすよう画像撮影を指令する情報収集指令を、前記ネットワークを介して、選択された代行者の前記撮影機能付携帯端末に送信する手段とを有し、
前記撮影機能付携帯端末は、
前記無線端末管理システムから情報収集指令を受信する手段と、
情報収集指令に含まれる依頼条件による現場と撮影日時に基づいて、当該現場を撮影して画像情報を得る撮像手段と、
前記撮像手段による撮影画像情報を、前記ネットワークを介して、前記無線端末管理システムに送信する手段とを有し、
前記無線端末管理システムは、さらに、
前記撮影機能付携帯端末から撮影画像情報を受信して記憶する手段と、
記憶された撮影画像情報の確認を要求する確認要求を、この撮影画像の現場に関係する関係機関の通信端末に送信し、前記通信端末から確認回答を受信して、当該撮影画像情報の信頼度を査定する手段と、
査定された信頼度を、前記ネットワークを介して、前記携帯端末に送って公開する手段とを有し、
前記携帯端末は、さらに、
前記無線端末管理システムから、査定された信頼度を受信し、この信頼度に基づいて撮影画像情報の購入要求を、前記ネットワークを介して、前記無線端末管理システムに送信する手段を有し、
前記無線端末管理システムは、さらに、
前記携帯端末から、撮影画像情報の購入要求を受信して、当該撮影画像情報を前記携帯端末に送信する手段を有することを特徴とする。
【０００９】
さらに、本発明の情報収集システムは、
前記無線端末管理システムが、さらに、
査定された信頼度に基づいて、前記携帯端末の依頼者に料金を課金する手段と、
査定された信頼度に基づいて、前記撮影機能付携帯端末の代行者に代価を支払う手段とを有することを特徴とする。
【００１０】
また、本発明の情報収集システムは、
前記撮影機能付携帯端末が、さらに、
ＧＰＳ（Ｇｌｏｂａｌ  Ｐｏｓｉｔｉｏｎｉｎｇ  Ｓｙｓｔｅｍ）を利用して位置を検出する位置情報検出手段と、
前記位置情報検出手段により検出された位置情報を、前記ネットワークを介して、前記無線端末管理システムに送信する手段とを有し、
前記無線端末管理システムは、さらに、
前記撮影機能付携帯端末から位置情報を受信して、この位置情報で前記代行者情報データベースを更新する手段を有することを特徴とする。
【００１１】
さらに、本発明の情報収集システムは、
前記無線端末管理システムが、さらに、
依頼条件を満たすよう画像撮影を指令する画像撮影指令に加えて前記撮影機能付携帯端末の機能拡張を指示する機能拡張指示を含む情報収集指令を、前記ネットワークを介して、選択された代行者の前記撮影機能付携帯端末に送信する手段を有し、
前記撮影機能付携帯端末は、さらに、
通話と低速データ通信のための基本機能部と、画像撮影する撮像部と撮影画像情報を送受信する高速データ送受信部を含む拡張機能部とを有し、
前記無線端末管理システムから機能拡張指示を受けて、画像撮影ができるよう前記撮像部を制御するとともに、撮影画像情報を送受信することができるよう前記高速データ送受信部を制御する手段とを有することを特徴とする。
【００１２】
また、本発明の情報収集システムは、
前記無線端末管理システムが、さらに、
機能拡張を指示する機能拡張指示を含む情報収集指令を、前記ネットワークを介して、選択された代行者の前記撮影機能付携帯端末に送信する手段を有し、
前記撮影機能付携帯端末は、さらに、
無線で通話と低速データ通信する第１無線部と低解像度画像や静止画像を撮影する第１カメラとを備える基本機能部と、別の無線で高速データ通信する第２無線部と高解像度画像や動画像を撮影する第２カメラとを備える拡張機能部とを有し、前記無線端末管理システムから機能拡張指示を受けて、高速データ通信ができるよう前記第２無線部を制御するとともに、高解像度画像や動画像を撮影できるよう前記第２カメラを制御する手段とを有することを特徴とする。
【００１３】
さらに、本発明の情報収集システムは、
前記無線端末管理システムが、さらに、
アプリケーションソフトと、着信メロディおよび画像を含むコンテンツとを記憶するデータベースと、
前記データベースに記憶されているアプリケーションソフトとコンテンツを、ダウンロード許可された代行者に配信する手段と、
前記撮影機能付携帯端末が画像情報を収集するたびに、前記撮影機能付携帯端末の代行者にポイントを与え、当該代行者が所有する累積ポイントが予め定められたポイントを超えるとき、前記データベースに記憶されているアプリケーションソフトとコンテンツをダウンロードする許可を機能拡張指示として当該代行者の前記撮像撮影機能付携帯端末に与える手段とを有し、
当該代行者の撮像撮影機能付携帯端末は、さらに、
前記無線端末管理システムから、ダウンロード許可を含む機能拡張指示を受けて、アプリケーションソフトあるいはコンテンツを、前記記憶部からダウンロードすることを特徴とする。
【００１４】
また、本発明の情報収集方法は、現場の画像撮影を依頼する依頼者が所有する携帯端末と、現場の画像撮影を依頼される代行者が所有する撮影機能付携帯端末と、画像情報提供事業者の、前記携帯端末と前記撮影機能付携帯端末とを管理する無線端末管理システムと、代行者が撮影する現場に関係する関係機関の通信端末とがネットワークで接続され、画像情報を収集して、この画像情報を前記携帯端末に提供する情報収集方法であって、
前記携帯端末において、依頼者が撮影を希望する現場と撮影日時とからなる依頼条件を含む情報収集依頼を、前記ネットワークを介して、前記無線端末管理システムに送信するステップを有し、
前記無線端末管理システムにおいて、
前記携帯端末から情報収集依頼を受信して情報収集依頼を受け付けるステップと、
情報収集依頼に含まれる依頼条件に適する代行者を、代行者の前記撮影機能付携帯端末の位置情報を含む代行者情報データベースから、選択するステップと、
依頼条件を満たすよう画像撮影を指令する情報収集指令を、前記ネットワークを介して、選択された代行者の前記撮影機能付携帯端末に送信するステップとを有し、
前記撮影機能付携帯端末において、
前記無線端末管理システムから情報収集指令を受信するステップと、
情報収集指令に含まれる依頼条件による現場と撮影日時に基づいて、当該現場を撮影して画像情報を得る撮像ステップと、
前記撮像ステップによる撮影画像情報を、前記ネットワークを介して、前記無線端末管理システムに送信するステップとを有し、
前記無線端末管理システムにおいて、さらに、
前記撮影機能付携帯端末から撮影画像情報を受信して記憶するステップと、
記憶された撮影画像情報の確認を要求する確認要求を、この撮影画像の現場に関係する関係機関の通信端末に送信し、前記通信端末から確認回答を受信して、当該撮影画像情報の信頼度を査定するステップと、
査定された信頼度を、前記ネットワークを介して、前記携帯端末に送って公開するステップとを有し、
前記携帯端末において、さらに、
前記無線端末管理システムから、査定された信頼度を受信し、この信頼度に基づいて撮影画像情報の購入要求を、前記ネットワークを介して、前記無線端末管理システムに送信するステップを有し、
前記無線端末管理システムにおいて、さらに、
前記携帯端末から、撮影画像情報の購入要求を受信して、当該撮影画像情報を前記携帯端末に送信するステップと、
査定された信頼度に基づいて、前記携帯端末の依頼者に料金を課金するステップと、
査定された信頼度に基づいて、前記撮影機能付携帯端末の代行者に代価を支払うステップとを有することを特徴とする。
【００１５】
さらに、本発明の情報収集方法は、
前記撮影機能付携帯端末において、さらに、
ＧＰＳ（Ｇｌｏｂａｌ  Ｐｏｓｉｔｉｏｎｉｎｇ  Ｓｙｓｔｅｍ）を利用して位置を検出する位置情報検出ステップと、
前記位置情報検出ステップにより検出された位置情報を、前記ネットワークを介して、前記無線端末管理システムに送信するステップとを有し、
前記無線端末管理システムにおいて、さらに、
前記撮影機能付携帯端末から位置情報を受信して、この位置情報で前記代行者情報データベースを更新するステップを有することを特徴とする。
【００１６】
また、本発明の情報収集プログラムは、現場の画像撮影を依頼する依頼者が所有する携帯端末と、現場の画像撮影を依頼される代行者が所有する撮影機能付携帯端末と、画像情報提供事業者の、前記携帯端末と前記撮影機能付携帯端末とを管理する無線端末管理システムと、代行者が撮影する現場に関係する関係機関の通信端末とがネットワークで接続され、画像情報を収集して、この画像情報を前記携帯端末に提供する情報収集システムを制御する情報収集プログラムであって、
前記撮影機能付携帯端末から位置情報を受信して、この位置情報を代行者情報データベースに記憶する処理と、
前記携帯端末から、依頼者が撮影を希望する現場と撮影日時とからなる依頼条件を含む情報収集依頼を受信して、この情報収集依頼を受け付ける処理と、
情報収集依頼に含まれる依頼条件に適する代行者を代行者情報データベースから選択する処理と、
依頼条件を満たすよう画像撮影を指令する情報収集指令を、前記ネットワークを介して、選択された代行者の前記撮影機能付携帯端末に送信する処理と、
前記撮影機能付携帯端末から撮影画像情報を受信して記憶する処理と、
記憶された撮影画像情報の確認を要求する確認要求を、この撮影画像の現場に関係する関係機関の通信端末に送信し、前記通信端末から確認回答を受信して、当該撮影画像情報の信頼度を査定する処理と、
査定された信頼度を、前記ネットワークを介して、前記携帯端末に送って公開する処理と、
前記携帯端末から、撮影画像情報の購入要求を受信して、記憶されている当該撮影画像情報を前記携帯端末に送信する処理と、
査定された信頼度に基づいて、前記携帯端末の依頼者に料金を課金する処理と、
査定された信頼度に基づいて、前記撮影機能付携帯端末の代行者に代価を支払う処理とをコンピュータに実行させることを特徴とする。
【００１７】
【発明の実施の形態】
次に、本発明の実施の形態について図面を参照して詳細に説明する。
【００１８】
図１は、本発明の実施形態による情報収集システムの構成ブロック図で、図２は、第１の実施形態による撮影機能付携帯端末の構成ブロック図で、図３は、撮影機能付携帯端末の構造外観図で、図３（ａ）は、折り畳まれた撮影機能付携帯端末の外観図で、図３（ｂ）は、開かれた撮影機能付携帯端末の外観図で、図４は、無線端末管理システムの構成ブロック図である。
【００１９】
本発明の情報収集システムは、画像撮影を要求する依頼者からの依頼により、携帯端末の位置情報システム及び画像撮影機能を利用し、被写体のある現場に近い場所にいる代行者に当該現場の画像撮影を依頼し、代行者が送ってきた画像情報を依頼者に送り、そして、依頼者に課金し、代行者に代価を支払うシステムである。
【００２０】
図１を参照して、本発明の情報収集システムは、画像撮影を依頼する依頼者が所有する携帯端末９０と、現場の状況、気象風景の撮影を依頼される代行者が所有する撮影機能付携帯端末１００−１、〜、１００−５と、携帯端末９０と複数の撮影機能付携帯端末１００−１、〜、１００−５と無線通信する複数基地局２００と、画像情報提供事業者の、これらの撮影機能付携帯端末１００を管理する無線端末管理システム４００と、代行者が撮影する現場に関係する公的機関または関係機関の通信端末３００−１、３００−５と、複数基地局２００と通信端末３００と無線端末管理システム４００とを接続するネットワーク５００とを有して構成される。
【００２１】
現場は、たとえば、イベント現場、政治活動現場、建設現場、事件や事故の発生現場と、観光地などの現場である。また、この現場に関係する公的機関または関係機関の通信端末は、イベント現場であるならばイベント会社通信端末３００−１であり、政治活動現場であるならば報道機関通信端末３００−２であり、建設現場であるならば建設会社通信端末３００−３であり、事件や事故の発生現場であるならば警察署通信端末３００−４であり、観光地であるならば気象庁通信端末３００−５である。
【００２２】
依頼者が所有する携帯端末９０は、少なくとも、音声とデータと画像の無線通信機能と、依頼者が指令を入力する入力機能と、音声とデータと画像を出力する出力機能とを有する。
【００２３】
撮影機能付携帯端末１００は、図２を参照して、音声通話信号、低速データ信号を含む無線信号を送受信する第１無線部１３１と高速データ信号を含む無線信号を送受信する第２無線部１３２と赤外線（ＩＲ）による光通信信号と近距離無線通信のためのブルートゥースによる無線信号とを送受信する外部機器通信部１３３とを備える無線信号送受信処理部１３０と、カメラ１０６と照明のためのフラッシュ１１６を含む撮像部１３９と、撮影機能付携帯端末１００全体を制御する制御部１４０と、位置情報システムすなわちＧＰＳ（Ｇｌｏｂａｌ  Ｐｏｓｉｔｉｏｎｉｎｇ  Ｓｙｓｔｅｍ）を利用して位置を検出する位置情報検出部１３４と、表示部１０５を含む表示処理部１３５と、受話部１０３と送話部１０４とスピーカ１０９を備え音声処理する音声処理部１３６と、利用者が指令を入力するキー１０７ａとポインティングデバイス１０７ｂを有する操作部１３７と、撮影機能付携帯端末１００の動作のプログラムを記憶する記憶部１３８とを有して構成される。
【００２４】
撮影機能付携帯端末１００は、通常状態では限定された通話機能を含む基本機能のみ利用可能となっており、制御部１４０は、無線端末管理システム４００から所定の機能拡張指示を受信すると、撮影機能付携帯端末１００の機能を拡張する。たとえば、無線信号送受信処理部１３０に属する第１無線部１３１は、撮影機能付携帯端末１００が基本的に所有する基本機能部であり、第２無線部１３２と外部機器通信部１３３は、拡張機能部であり、制御部１４０が、無線端末管理システム４００からの所定の機能拡張指示を受けると、第２無線部１３２あるいは外部機器通信部１３３を働かせるよう機能拡張をする。
【００２５】
また、制御部１４０は、無線端末管理システム４００からの所定の機能拡張指示を受けて、基本機能の音声通話に加えて、高速データ送受信機能および画像撮影機能を含む拡張機能を働かせるよう制御する。
【００２６】
図３を参照して、撮影機能付携帯端末１００は、ヒンジ１０８を介して接続された上部筐体１１０ａと下部筐体１１０ｂとから構成される。
【００２７】
上部筐体１１０ａは、内面に表示部１０５と、受話部１０３と、スピーカ１０９と、ズーム機能を有するカメラ１０６と、照明のためのフラッシュ１１６とを有し、外面に副表示部１０１と副操作部１０２とを備えている。
【００２８】
下部筐体１１０ｂは、送話部１０４と、キー１０７ａとポインティングデバイス１０７ｂから構成される操作部１３７とを備えている。
【００２９】
カメラ１０６とフラッシュ１１６は、通常状態では、使用不可となっており、制御部１４０が無線端末管理システム４００からの所定の機能拡張指示を受信した場合のみ、制御部１４０は、予め定められた時間だけ、カメラ１０６とフラッシュ１１６を使用可能なように制御して機能を拡張する。また、制御部１４０は、無線端末管理システム４００からの所定の機能拡張指示により、カメラ１０６のズーム機能を動作するよう制御して機能を拡張する。
【００３０】
また、本発明の撮影機能付携帯端末１００では、通常状態では、図示しないロック機構により、図３（ａ）に示されるように折り畳まれて閉じた状態のとき、副表示部１０１および副操作部１０２のみが利用可能で、メール受信機能のみが利用可能である。そして、無線端末管理システム４００からの所定の機能拡張指示を受信した制御部１４０は、予め定められた時間だけロックを解除し、図３（ｂ）に示されるような開いた状態にして、画像情報の収集と送信を行なうことが出来るよう機能を拡張制御するとともに、予め定められた時間が経過後、あるいは、画像情報の収集と送信後、再び閉じた状態とすることでロック状態に制御する。
【００３１】
また、本発明の撮影機能付携帯端末１００では、制御部１４０は、通常状態では、ポインティングデバイス１０７ｂが動作しないように制御しているが、制御部１４０は、無線端末管理システム４００からの所定の機能拡張指示を受信するとポインティングデバイス１０７ｂを動作するよう制御する。
【００３２】
図４を参照して、画像情報提供事業者の無線端末管理システム４００は、ネットワークインタフェース部４０１と、入出力部４０２と、依頼受付部４０３と、提供情報送信部４０４と、代行者司令部４０５と、収集情報受信部４０６と、依頼者管理部４０７と、代行者管理部４０８と、査定部４０９と、課金部４１０と、支払部４１１と、制御部４１２と、制御プログラム記憶部４１３と、データベース記憶部４１４とを有して構成される。
【００３３】
制御プログラム記憶部４１３は、本発明の情報収集システムを制御するプログラムを記憶する。
【００３４】
制御部４１２は、制御プログラム記憶部４１３に記憶されているプログラムに従って情報収集システムを制御するものである。
【００３５】
データベース記憶部４１４は、画像情報の収集を依頼する依頼者に関する情報を記憶する依頼者情報データベース４１５と、画像情報の収集を依頼される代行者に関する情報を記憶する代行者情報データベース４１６と、収集された画像情報を記憶する収集情報データベース４１７と、アプリケーションソフトを記憶するアプリケーションソフト記憶部４１８と、音楽や画像を含むコンテンツを記憶するコンテンツ記憶部４１９とを有する。
【００３６】
ネットワークインタフェース部４０１は、ネットワーク５００とインタフェースするものである。
【００３７】
入出力部４０２は、画像情報提供事業者が指令を入力する入力部と各種データを表示出力する出力部を有する。
【００３８】
依頼者管理部４０７は、画像情報の収集を依頼する依頼者を依頼者情報データベース４１５に登録して管理する。
【００３９】
代行者管理部４０８は、画像情報の収集を依頼される代行者を代行者情報データベース４１６に登録し管理をする。
【００４０】
依頼受付部４０３は、依頼者管理部４０８と協働して、画像情報の収集を依頼する依頼者からの、画像情報収集依頼を受け付ける。
【００４１】
代行者司令部４０５は、依頼受付部４０３により受け付けられた画像情報収集依頼に基づいて、代行者管理部４０８と協働して、依頼条件に合う代行者を選択し、選択された代行者の撮影機能付携帯端末１００宛てに、機能を拡張する旨の指示である機能拡張指示を含む情報収集指令を送る。
【００４２】
収集情報受信部４０６は、当該代行者の撮影機能付携帯端末１００が収集した画像情報を受信しこの画像情報を収集情報データベース４１７に記憶する。
【００４３】
査定部４０９は、この画像情報の信用度を裏付けするために、この画像情報に関係する公的機関または関係機関の通信端末３００に対して、この画像情報の確認を要求する確認要求を送信し、確認回答を受けて、この画像情報の信用度を査定し、査定結果を収集情報データベースに記憶する。また、査定部は、査定結果に応じて代行者を評価し、代行者に対する報奨として、アプリケーションソフト記憶部４１８のアプリケーションソフトあるいはコンテンツ記憶部４１９のコンテンツをダウンロードする許可を代行者に与える。
【００４４】
提供情報送信部４０４は、収集情報データベース４１７に記憶されている、査定結果を含めた画像情報を依頼者の携帯端末９０宛てに送信する。
【００４５】
課金部４１０は、画像情報の査定に応じた画像情報提供料金を、依頼者に課金する。
【００４６】
支払部４１１は、代行者に対して、画像情報の査定に応じた代価を支払う。
【００４７】
次に、本発明の実施形態の動作について図面を参照して詳細に説明する。
図５と図６は、動作のフローチャートを示す図である。
【００４８】
図５と図６を主体に、図１、図２、図３、図４を併せて参照して動作を説明する。
【００４９】
＜代行者と代行者位置情報の登録＞
代行者が、基本機能のみが有効である撮影機能付携帯端末１００から、登録を要求する旨の登録要求を入力すると、撮影機能付携帯端末１００は、登録要求情報を基地局２００とネットワーク５００を介して、無線端末管理システム４００宛てに送信する。
【００５０】
無線端末管理システム４００は、ネットワーク５００を介して、撮影機能付携帯端末１００から登録要求情報を受信し、当該代行者を代行者情報データベース４１６に登録し、そして、登録された旨を示す登録済み情報を当該代行者の撮影機能付携帯端末１００に送信する。
【００５１】
撮影機能付携帯端末１００は、登録済み情報を受信すると、ＧＰＳを利用して位置を検出し位置情報を無線端末管理システム４００に送信する。以降、代行者が移動して位置を変えるたびに、撮影機能付携帯端末１００は、ＧＰＳを利用して位置を検出し位置情報を無線端末管理システム４００に送信し続ける。
【００５２】
無線端末管理システム４００は、撮影機能付携帯端末１００から位置情報を受信するたびに、最新の位置情報で代行者情報データベース４１６を更新する。
【００５３】
このようにして、代行者情報データベース４１６には、代行者の、最新の位置情報が記憶される。
【００５４】
＜撮像画像情報提供動作＞
図５と図６を参照して、依頼者が、所有する携帯端末９０から、画像情報の収集を依頼する旨の情報収集依頼を入力すると、携帯端末９０は、情報収集依頼情報を基地局２００とネットワーク５００を介して、無線端末管理システム４００宛てに送信する（ステップＳ９１）。送信される情報収集依頼情報は、依頼者のＩＤ（識別）番号と、依頼者が撮影を希望する画像の種類と画像の撮影日時とを含む。
【００５５】
無線端末管理システム４００は、ネットワーク５００を介して、携帯端末９００から情報収集依頼情報を受信する（ステップＳ４０１）。
【００５６】
次に、情報収集依頼情報を受信した無線端末管理システム４００は、依頼者情報データベース４１５を参照して、依頼者のＩＤ（識別）番号が登録されているかを調べ、依頼者のＩＤ（識別）番号が登録されているとき、さらに、依頼者が撮影を希望する画像の種類と画像の撮影日時とを調べ、画像情報の収集が可能かを判断し（ステップＳ４０２）、画像情報の収集が可能であるとき（ステップＳ４０２でハイ）、情報収集依頼を受け付けた旨を示す情報収集了承情報を依頼者の携帯端末９０に送信する（ステップＳ４０３）。
【００５７】
次に、無線端末管理システム４００は、代行者情報データベース４１６を参照して、依頼者が撮影を希望する画像の種類と画像の撮影日時との依頼条件に適する代行者を選択する（ステップＳ４０４）。すなわち、無線端末管理システム４００は、代行者情報データベース４１６の代行者位置情報を参照して、依頼者が撮影を希望する画像の被写体、例えば、観光地の気象風景、事件事故現場風景、建設現場風景、政治活動現場風景、イベント現場風景、に近い場所にいる代行者を選択する（ステップＳ４０４）。
【００５８】
そして、無線端末管理システム４００は、ネットワーク５００を介して、選択された代行者が所有する撮影機能付携帯端末１００に、画像を撮影して収集する指令である情報収集指令を送信する（ステップＳ４０５）。情報収集指令は、撮影する現場を指示する現場指示と、撮影の開始時刻と終了時刻または上限時刻を指示する時刻指示と、撮影機能付携帯端末１００のロック状態を解除し開くことができるようにするとともに画像の撮影と撮影画像の送信を行なうことが出来るよう機能の拡張を指示する機能拡張指示とを含む。
【００５９】
選択された代行者が所有する撮像撮影機能付携帯端末１００は、無線端末管理システム４００から情報収集指令を受信する（ステップＳ１０２）と、代行者は、撮影機能付携帯端末１００を携帯して現場指示により指示された当該現場に行く。
【００６０】
そして、撮影機能付携帯端末１００は、代行者の操作と情報収集指令に含まれる機能拡張指示により機能を拡張し（ステップＳ１０３）、すなわち、ロック状態を解除し開くことができるようにするとともに画像の撮影と撮影画像の送信を行なうことが出来るよう機能を拡張し（ステップＳ１０３）、当該現場の状況、風景を撮影し画像情報を収集し（ステップＳ１０４）、この画像情報を、当該基地局２００とネットワーク５００を介して、無線端末管理システム４００に送信する（ステップＳ１０５）。
【００６１】
そして、送信が終了すると、撮像撮影機能付携帯端末１００は、拡張の機能を終了する（ステップＳ１０６）。
【００６２】
無線端末管理システム４００は、代行者の撮像撮影機能付携帯端末１００から画像情報を受信する（ステップＳ４０６）と、この画像情報を収集情報データベースに、一旦、記憶し、そして、この画像情報の信用度を査定し、査定された信用度を収集情報データベースに記憶する。
【００６３】
すなわち、無線端末管理システム４００は、この画像情報に関係する公的機関または関係機関の通信端末３００に対して、この画像情報の信用度を裏付けするためこの画像情報の確認を要求する確認要求を送信する（ステップＳ４０７）。
【００６４】
例えば、代行者の撮像撮影機能付携帯端末１００からの画像情報が、観光地などの現場の気象風景画像情報であるとき、無線端末管理システム４００は、気象庁通信端末３００−５に対して、当該観光地付近の気象情報の裏付け確認を要求する確認要求を送り（ステップＳ４０７）、気象庁通信端末３００−５から当該観光地付近の気象の確認回答を受け（ステップＳ４０８）、代行者からの気象風景画像情報の信用度を、以下に述べる基準にて、査定をし（ステップＳ４０９）、査定された信用度を収集情報データベース４１７に記憶する。
【００６５】
また、例えば、代行者の撮像撮影機能付携帯端末１００からの画像情報が、交通事故現場の状況画像情報であるとき、無線端末管理システム４００は、警察署通信端末３００−４に対して、当該交通事故の裏付け確認を要求する確認要求を送り（ステップＳ４０７）、警察署通信端末３００−４から当該交通事故が実際に起きたかどうかの確認回答を受け（ステップＳ４０８）、代行者からの交通事故現場の状況画像情報の信用度を、以下に述べる基準にて、査定し（ステップＳ４０９）、査定された信用度を収集情報データベース４１７に記憶する。
【００６６】
画像情報の信用度の査定において、無線端末管理システム４００は、代行者からの画像情報を、この画像情報に関係する公的機関または関係機関からの確認回答に基づいて、複数のランクＡ、Ｂ、Ｃに格付けする。ここで、ランクＡは、公的機関または関係機関からの裏付け確認があり、画像情報の信用度が９０％以上で、ランクＢは、公的機関または関係機関からの裏付け確認がないが、多数の関係者からの証言による確認があり、画像情報の信用度が５０％以上で、ランクＣは、公的機関または関係機関からの裏付け確認の情報が全く無く、画像情報の信用度が不定である。
【００６７】
次に、無線端末管理システム４００は、画像情報の信用度の査定が終了すると、まず、代行者を評価する（ステップＳ４１０）。すなわち、無線端末管理システム４００は、代行者情報データベース４１６に、当該代行者が画像情報を収集するたびに、当該代行者が収集した画像情報に対して査定されたランクを記憶し、代行者情報データベース４１６は、代行者毎のランクの履歴を保持する。この、代行者情報データベース４１６に記憶されている代行者毎のランクの履歴は、無線端末管理システム４００がステップＳ４０４で代行者を選択するときに使用される。すなわち、無線端末管理システム４００は、代行者のランクの履歴に基づいて、虚偽の情報あるいは勘違い情報などのランクの低い画像情報を連続して送信する代行者に対して、代行者の候補から外し、当該代行者を選択しない措置を施す。
【００６８】
また、無線端末管理システム４００は、当該代行者が画像情報を収集するたびに、当該代行者にポイントを与え、このポイントと当該代行者が過去に与えられたポイントとを加算して得られる累積ポイントを代行者情報データベース４１６に記憶する。この累積ポイントは、後述のように、無線端末管理システム４００が当該代行者の撮像撮影機能付携帯端末１００の機能を拡張するときに、代行者の報奨として使用される。
【００６９】
次に、無線端末管理システム４００は、画像情報の信用度の査定結果を公開する（ステップＳ４１１）。すなわち、無線端末管理システム４００は、画像情報の信用度の査定結果であるランクを、依頼者が所有する携帯端末９０に送信する（ステップＳ４１１）。
【００７０】
依頼者の携帯端末９０は、無線端末管理システム４００から、依頼した画像情報の信用度の査定結果を受信し（ステップＳ９２）、依頼者は、この査定結果を認識し、当該画像情報を購入するかどうかを決める（ステップＳ９３）。たとえば、依頼者は、依頼した画像情報の査定結果がランクＡであるときは、当該画像情報を購入することを決め、また、依頼者は、依頼した画像情報の査定結果がランクＢであるときは、当該画像情報に他の付加情報たとえば現場の記者による情報を含む総合情報として購入することを決め、また、依頼した画像情報の査定結果がランクＣであるときは、当該画像情報の信用度がないことを覚悟して購入を決めるか、あるいは全く購入しないことを決める。
【００７１】
そして、依頼者は、当該画像情報の購入を決めると、購入を要求する旨の購入要求を携帯端末９０に入力する。携帯端末９０は、入力された購入要求を無線端末管理システム４００に送信する（ステップＳ９４）。
【００７２】
一方、依頼者は、当該画像情報を購入しないときめると、携帯端末９０に切断指令を入力し、携帯端末９０は、切断する（ステップＳ９６）。
【００７３】
無線端末管理システム４００は、依頼者の携帯端末９０から購入要求を受信すると（ステップＳ４１２）、当該画像情報を依頼者の携帯端末９０に送信して当該画像情報を提供する（ステップＳ４１３）。
【００７４】
これとともに、無線端末管理システム４００は、画像情報の査定に応じた提供料金を、依頼者に課金する（ステップＳ４１４）。
【００７５】
また、無線端末管理システム４００は、代行者に対して、画像情報の査定に応じた代価を支払う（ステップＳ４１５）。
【００７６】
さらに、代行者を評価するステップＳ４１０において、当該代行者が所有する累積ポイントが、予め定められたポイントを超えるとき、無線端末管理システム４００は、自己が所有するソフトウェア、例えば、アプリケーションソフト、と、着信メロディと画像を含むコンテンツをダウンロードする許可を機能拡張指示として当該代行者の撮像撮影機能付携帯端末１００に与える。
【００７７】
当該代行者の撮像撮影機能付携帯端末１００は、この機能拡張指示を受けて、アプリケーションプログラム、あるいはコンテンツをダウンロードする。
【００７８】
次に、本発明の第２の実施形態について説明する。
【００７９】
図７は、本発明の第２の実施形態による撮影機能付携帯端末の構造図で、図７（ａ）は、開いた状態の撮影機能付携帯端末の構造斜視図で、図７（ｂ）は、上部筐体に実装される回転機構の断面図である。
【００８０】
図７を参照して、撮影機能付携帯端末１００ａは、第１の実施形態による撮影機能付携帯端末１００と同様に、ヒンジ１０８を介して接続された上部筐体１１０ａと下部筐体１１０ｂとから構成される。
【００８１】
上部筐体１１０ａは、表示部１０５と、スピーカ１０９と、図６（ｂ）に示されるように軸を中心に回転する回転機構１２０上の異なる位置に搭載されたカメラ１０６と受話部１０３とを有している。回転機構１２０の回転により、カメラ１０６または受話部１０３は、上部筐体１１０ａの表面に設けられた露出孔から外部に露出するよう構成されている。
【００８２】
下部筐体１１０ｂは、送話部１０４と、キー１０７ａとポインティングデバイス１０７ｂから構成される操作部１３７とを備えている。
【００８３】
撮影機能付携帯端末１００ａを構成する表示部１０５とスピーカ１０９とカメラ１０６と受話部１０３と送話部１０４と操作部１０７とは、第１の実施形態による撮影機能付携帯端末１００を構成するものと同じであるが、カメラ１０６と受話部１０３とが回転機構１２０に搭載されている点が第１の実施形態による撮影機能付携帯端末１００の構造とは異なる。
【００８４】
また、撮影機能付携帯端末１００ａの機能ブロック構成は、図２に示される第１の実施形態による撮影機能付携帯端末１００の機能ブロック構成と同じであるが、制御部１４０は、さらに、回転機構１２０の回転を制御する機能を有する。
【００８５】
ここでは、回転機構１２０に搭載されるカメラ１０６と受話部１０３の動作のみを説明する。
【００８６】
撮影機能付携帯端末１００ａの制御部１４０は、通常状態において、受話部１０３を露出孔から外部に露出するよう回転機構１２０の回転を固定（ロック）する。
【００８７】
従って、撮影機能付携帯端末１００ａは、通常状態では、受話部１０３が外部に露出して、通話とデータ通信のみが可能である。
【００８８】
次に、撮影機能付携帯端末１００ａが、図１に示される無線端末管理システム４００から、ネットワーク５００を介して、機能拡張指示を含む情報収集指令を受信すると、制御部１４０は、機能拡張指示により、カメラ１０６を露出孔から外部に露出するよう回転機構１２０を回転制御する。
【００８９】
これにより、代行者は、機能拡張された撮影機能付携帯端末１００ａで、画像情報の収集を行なうことが出来る。
【００９０】
次に、本発明の第３の実施形態について説明する。
【００９１】
図８は、本発明の第３の実施形態による撮影機能付携帯端末の構造図で、図８（ａ）は、開いた状態の撮影機能付携帯端末の構造斜視図で、図８（ｂ）は、上部筐体に実装される回転機構の断面図である。
【００９２】
図８を参照して、撮影機能付携帯端末１００ｂは、第２の実施形態による撮影機能付携帯端末１００ａと同様な構成であるが、回転機構１２０に第１カメラ１０６−１と第２カメラ１０６−２と受話部１０３とが搭載されている点が第２の実施形態による撮影機能付携帯端末１００ａと異なる。
【００９３】
第１カメラ１０６−１は、低解像度画像や静止画像を撮影するための低機能カメラである。
【００９４】
第２カメラ１０６−２は、高解像度画像や動画像を撮影するための高機能カメラである。
【００９５】
また、撮影機能付携帯端末１００ｂの機能ブロック構成は、図２に示される第１の実施形態による撮影機能付携帯端末１００の機能ブロック構成と同じで、第１無線部１３１と第２無線部１３２と外部機器通信部１３３とを含む複数の無線信号送受信部を備える無線信号送受信処理部１３０と撮像部１３９と位置情報検出部１３４と表示処理部１３５と受話部１０３と音声処理部１３６と操作部１３７と記憶部１３８とを有して構成される。
【００９６】
動作を説明する。
【００９７】
撮影機能付携帯端末１００ｂの制御部１４０は、通常状態において、受話部１０３あるいは第１カメラ１０６−１が露出孔から外部に露出するよう回転機構１２０の回転を制御している。また、制御部１４０は、通常状態において、第１無線部１３１を選択している。従って、撮影機能付携帯端末１００ａは、通常状態では、受話部１０３あるいは第１カメラ１０６−１が外部に露出して、低解像度画像や静止画像の撮影をし、そして、第１無線部１３１を使い、通話と、低解像度画像情報や静止画像情報のデータ通信をする。
【００９８】
撮影機能付携帯端末１００ｂが、図１に示される無線端末管理システム４００から、ネットワーク５００を介して、機能拡張指示を受信すると、制御部１４０は、この機能拡張指示により、第２カメラ１０６−２を露出孔から外部に露出できるよう回転機構１２０を回転し高解像度画像や動画像を撮像できるよう制御するとともに、第２カメラ１０６−２が撮影した高解像度画像情報や動画像情報を無線で送信するよう第２無線部１３２を選択制御する。
【００９９】
これにより、代行者は、機能拡張された撮影機能付携帯端末１００ｂで、高解像度撮像や動画像を収集し無線端末管理システム４００に送信することができる。
【０１００】
【発明の効果】
以上説明したように、本発明は、画像撮影を要求する依頼者からの依頼により、携帯端末の位置情報システム及び画像撮影機能を利用し、被写体のある現場に近い場所にいる代行者に当該現場の画像撮影を依頼し、代行者が送ってきた画像情報の信頼度を査定し、信頼度査定付の画像情報を依頼者に送信するよう構成されているので、距離、時間、人、費用からの制限を極力抑えて広範囲に収集された、リアルタイムに近い、そして信頼度の高い情報を依頼者に提供できるという効果がある。
【０１０１】
また、本発明は、代行者が送ってきた画像情報の信頼度を査定し、査定結果を依頼者に公開するよう構成されているので、依頼者は、査定結果により画像情報の購入をするかを選択できるという効果がある。
【０１０２】
さらに、本発明は、代行者が送ってきた画像情報の信頼度を査定するよう構成されているので、依頼者に対しては、画像情報の査定に応じた提供料金を課金でき、代行者に対しては、画像情報の査定に応じた代価を支払うことができるという効果がある。
【０１０３】
また、本発明は、代行者に画像撮影を依頼するとき、代行者の携帯端末を拡張して画像撮影機能を働かせるよう構成されているので、画像撮影機能を働かせることによる追加使用料を代行者に課金でき、新たなるビジネスを提供できるという効果がある。
【図面の簡単な説明】
【図１】本発明の実施形態による情報収集システムの構成ブロック図である。
【図２】第１の実施形態による撮影機能付携帯端末の構成ブロック図である。
【図３】撮影機能付携帯端末の構造外観図である。
【図４】無線端末管理システムの構成ブロック図である。
【図５】動作のフローチャートを示す図である。
【図６】動作のフローチャートを示す図である。
【図７】第２の実施形態による撮影機能付携帯端末の構造図である。
【図８】第３の実施形態による撮影機能付携帯端末の構造図である。
【符号の説明】
９０    携帯端末
１００    携帯端末
１３０    無線信号送受信処理部
１３１    第１無線部
１３２    第２無線部
１３３    外部機器通信部
１３９    撮像部
１４０    制御部
１３４    位置情報検出部
１３５    表示処理部
１３６    音声処理部
１０３    受話部
１０４    送話部
１３６    音声処理部
１３７    操作部
１３８    記憶部
２００    基地局
３００    通信端末
４００    無線端末管理システム
４０１    ネットワークインタフェース部
４０２    入出力部
４０３    依頼受付部
４０４    提供情報送信部
４０５    代行者司令部
４０６    収集情報受信部
４０７    依頼者管理部
４０８    代行者管理部
４０９    査定部
４１０    課金部
４１１    支払部
４１２    制御部
４１３    制御プログラム記憶部
４１４    データベース記憶部
５００    ネットワーク
【図１】
2004326406.tif 000003
【図２】
2004326406.tif 000004
【図３】
2004326406.tif 000005
【図４】
2004326406.tif 000006
【図５】
2004326406.tif 000007
【図６】
2004326406.tif 000008
【図７】
2004326406.tif 000009
【図８】
2004326406.tif 000010